(57)【要約】      （修正有）【課題】  ＷＯＬ機能利用環境下であっても、被制御装置側からその被制御装置のステータスを示す複雑な制御信号を制御装置側へ送ることなく、制御装置側の電源制御を容易に実行する電源制御回路および制御装置を提供する。【解決手段】  ＷＯＬによるコントローラ電源ＯＮ後、リモコンによりディスプレイ電源をＯＮすると、インバータ３は、入力信号ＨをＬに反転してＯＲゲート５に出力する。電源電圧入力端子１４にＰＯＷが印加されているので、ＯＲゲート５のもう一方の入力端子には信号Ｈが入力される。ＯＲゲート５は、信号ＨをＡＮＤゲートへ出力する。ＡＮＤゲート６は、ＯＲゲート５からと、インバータ７から信号を入力し、チップセット１１に信号を出力する。チップセット１１に対してボタンＯＮ制御信号（信号Ｌ）が入力されないため、ディスプレイ電源ＯＮ及び画面表示は開始されるが、チップセット１１は、コントローラシャットダウン処理を実行しない。【選択図】  図２
2005149000.tif 000002
【特許請求の範囲】
【請求項１】
被制御装置を制御する制御装置の電源制御を行う電源制御回路であって、
前記被制御装置の電源がＯＮ、かつ前記制御装置の電源がＯＦＦである場合のみ、前記制御装置の電源をＯＮに切り替えるように制御することを特徴とする電源制御回路。
【請求項２】
被制御装置を制御する制御装置の電源制御を行う電源制御回路であって、
前記被制御装置の電源ＯＮに同期した第１の制御信号を入力する第１の信号入力手段と、
前記制御装置の電源ＯＮに同期した第２の制御信号を入力する第２の信号入力手段と、
前記第１の制御信号と、前記第２の制御信号の反転信号との入力に応じて、第３の制御信号を出力する信号出力手段と、
前記第３の制御信号の入力に応じて、前記制御装置の電源のＯＮ／ＯＦＦを切り替えるように制御する切替制御手段とを有し、
前記切替制御手段は、
前記第３の制御信号が入力されているときは、前記制御装置の電源のＯＮ／ＯＦＦの切替を実行しないように制御することを特徴とする電源制御回路。
【請求項３】
前記第１の信号入力手段は、
前記被制御装置の電源がＯＮのときにＨレベル、ＯＦＦのときにＬレベルである前記第１の制御信号を入力し、
前記第２の信号入力手段は、
前記制御装置の電源がＯＮのときにＨレベル、ＯＦＦのときにＬレベルである前記第２の制御信号を入力し、
前記信号出力手段は、
前記第１の制御信号と、前記第２の制御信号の反転信号とを入力とし、前記第３の制御信号を出力とするＯＲゲートにより構成されることを特徴とする請求項２記載の電源制御回路。
【請求項４】
前記第１の制御信号の立ち下がりを検出すると、第４の制御信号を出力する停止信号出力手段を有し、
前記電源切替制御手段は、
前記第４の制御信号が入力されると、前記第３の制御信号の入力の有無にかかわらず、前記制御装置の電源をＯＦＦに切り替えるように制御することを特徴とする請求項３記載の電源制御回路。
【請求項５】
前記停止信号出力手段は、
前記第１の制御信号の立ち下がり時に、前記第４の制御信号としてＨレベルを出力し、
前記電源切替制御手段は、
前記第４の制御信号を入力とするインバータと、ＡＮＤゲートとから構成され、
前記ＡＮＤゲートは、
前記第３の制御信号と、前記第４の制御信号の反転信号とを入力とし、前記制御装置の電源のＯＮ／ＯＦＦを切り替えるための制御信号を出力とすることを特徴とする請求項４記載の電源制御回路。
【請求項６】
前記電源切替制御手段により前記制御装置の電源がＯＦＦに切り替えられると、前記第２の制御信号をＬレベルに制御する信号制御手段を有することを特徴とする請求項３から５のいずれか１項に記載の電源制御回路。
【請求項７】
前記被制御装置としてのディスプレイへ映像信号を出力して、前記ディスプレイの画面表示を制御する、前記制御装置の電源制御を行うことを特徴とする請求項１から６のいずれか１項に記載の電源制御回路。
【請求項８】
被制御装置を制御する制御装置であって、
自装置に電力を供給する制御装置の電源と、
前記制御装置の電源の電力供給制御を行う電源制御回路とを有し、
前記電源制御回路は、
前記被制御装置の電源ＯＮに同期した第１の制御信号を入力する第１の信号入力手段と、
前記制御装置の電源ＯＮに同期した第２の制御信号を入力する第２の信号入力手段と、
前記第１の制御信号と、前記第２の制御信号の反転信号との入力に応じて、第３の制御信号を出力する信号出力手段と、
前記第３の制御信号の入力に応じて、前記制御装置の電源のＯＮ／ＯＦＦを切り替えるように制御する切替制御手段とを有し、
前記切替制御手段は、
前記第３の制御信号が入力されているときは、前記制御装置の電源のＯＮ／ＯＦＦの切替を実行しないように制御することを特徴とする制御装置。
【発明の詳細な説明】
【技術分野】
【０００１】
本発明は、電源制御回路および制御装置に関し、特に、ディスプレイなどの被制御装置を制御するための電源供給を制御する電源制御回路および制御装置に関する。
【背景技術】
【０００２】
従来、コンピュータを管理するための機能として、コンピュータの電源投入などを遠隔から制御するＷＯＬ（Ｗａｋｅ  ｏｎ  ＬＡＮ）機能が利用されていた。
例えば、ＷＯＬを用いて、ディスプレイに接続されたＰＣに備えられたグラフィックボードなどの制御回路の電源を遠隔からＯＮし、外部からデータ送信などを行っていた。
【０００３】
図５は、従来の電源制御回路の構成を示す図である。電源制御回路は、ディスプレイなどの被制御装置を制御する制御装置に供給される電源のＯＮ／ＯＦＦを制御する回路である。
ここで、被制御装置をディスプレイ、制御装置をディスプレイに映像信号を送信して画面表示制御を行うコントローラとして、図５を用いて、従来の電源制御回路の構成および動作について説明する。
【０００４】
図５に示される電源制御回路は、ディスプレイからステータスを示すような特別な制御信号の入力なしでコントローラの電源制御を実施する。
また、図５に示されているように、従来の電源制御回路は、制御信号入力端子２１と、インバータ２２〜２５、２７と、ＡＮＤゲート２６と、チップセット２８と、パルス発生部２９、３０とを有して構成される。
【０００５】
制御信号入力端子２１は、ディスプレイの電源ＯＮ時にＨレベル、電源ＯＦＦ時にＬレベルの制御信号を入力する端子である。例えば、リモコン（リモート・コントローラ）などにより、ディスプレイの電源のＯＮ／ＯＦＦが切り替わった場合に、その制御信号の立ち上がり／立ち下がりが発生する。
制御信号入力端子２１に接続されている信号線は、分岐してインバータ２２、２３の入力端子に接続される。
【０００６】
インバータ２２、２３は、入力された制御信号の値を反転させる。
インバータ２２の出力端子は、信号線を介してインバータ２４の入力端子に接続される。
また、インバータ２３の出力端子は、信号線を介してパルス発生部３０の入力端子に接続される。
また、インバータ２４の出力端子は、信号線を介してパルス発生部２９の入力端子に接続される。
【０００７】
パルス発生部２９、３０は、入力信号の立ち上がり（Ｌレベル→Ｈレベル）に応じて、所定幅のパルスを出力する。
パルス発生部２９、３０の出力端子は、それぞれインバータ２６、２７の入力端子に接続される。
インバータ２６、２７は、入力信号の値を反転する。インバータ２６、２７の出力端子は、それぞれＡＮＤゲート２６の入力端子に接続される。
【０００８】
ＡＮＤゲート２６は、Ｌレベルの信号を、コントローラの電源のＯＮ／ＯＦＦ切替を行うための信号としてチップセット２８に出力する。
【０００９】
チップセット２８は、コントローラの電源制御を実施するＩＣである。
また、チップセット１１は、ＡＮＤゲート６からの信号（Ｌ）入力が４秒間以上継続すると、ＰＣ９９規格などに基づいて、コントローラの電源をＯＦＦに制御する。
【００１０】
測定点ａ０は、制御信号入力端子２１とインバータ２２、２３の入力端子との間の信号線上の任意の位置を示す。
測定点ｂ０は、インバータ２４出力端子とパルス発生部２９との間の信号線上の任意の位置を示す。
測定点ｃ０は、インバータ２３出力端子とパルス発生部３０との間の信号線上の任意の位置を示す。
測定点ｄ０は、インバータ２５出力端子とＡＮＤゲート２６入力端子との間の信号線上の任意の位置を示す。
測定点ｅ０は、インバータ２７出力端子とＡＮＤゲート２６入力端子との間の信号線上の任意の位置を示す。
測定点ｆ０は、ＡＮＤゲート２６出力端子とチップセット２８入力端子との間の信号線上の任意の位置を示す。
【００１１】
図６は、ディスプレイリモコンによりディスプレイ電源をＯＮする場合の電源制御回路の各測定点におけるタイミングチャートである。
図６に示されるように、従来の電源制御回路では、ディスプレイリモコンなどによりディスプレイの電源が投入されると、制御信号入力端子２１に電源電圧（Ｈレベルの制御信号）が印加される。そして、ＡＮＤゲート２６は、コントローラの電源のＯＮ／ＯＦＦ切り替えのためのボタンＯＮ信号（Ｌレベル）を生成し、チップセット２８へ出力する。
【００１２】
また、上記のような電源制御に係る従来技術の１つに特許文献１が開示するところのコンピュータシステムがあった。
特許文献１では、ＰＣ本体と拡張ユニットとが接続されたコンピュータシステムにおいて、ＰＣ本体の電源がＯＦＦであっても、ＰＣ本体から拡張ユニットに所定の制御信号が入力されている場合、拡張ユニット内のＬＡＮ回路の電源供給を継続させていた。
このことにより、拡張ユニットに装着されたコンピュータ本体のパワーＯＮ／ＯＦＦ状態に関係なく、またはコンピュータ本体が拡張ユニットより取り外された状態下においても、必要に応じて拡張ユニット内の任意の機能のモジュールを継続動作させることができた。
【００１３】
また、特許文献２が開示するところのディスプレイシステムでは、サーバとディスプレイとがネットワークを介して接続されて構成され、サーバからの電源制御信号により、ディスプレイ内の主要部の電源ＯＮ／ＯＦＦ制御が行われていた。
【特許文献１】特開平１１−３４５０５１号公報
【特許文献２】特開２０００−２３１３６９号公報
【発明の開示】
【発明が解決しようとする課題】
【００１４】
しかしながら、図５に示されるような従来の電源制御回路においては、次のような課題があった。
ＷＯＬによりコントローラに電源が投入され、コントローラが起動した後に、リモコンなどによりディスプレイの電源ＯＮが要求された場合、電源制御回路は、コントローラの電源をシャットダウンしてしまう。
【００１５】
図７は、ＷＯＬによるコントローラ電源ＯＮ後にディスプレイリモコンによりディスプレイ電源をＯＮする場合の従来の電源制御回路の各測定点におけるタイミングチャートである。
以下、図７を用いて、ＷＯＬによるコントローラ電源ＯＮ後に、ディスプレイの電源ＯＮされた場合の、従来の電源制御回路によるコントローラ電源制御について説明する。
【００１６】
図５に示されるような従来の電源制御回路では、コントローラ電源のＯＮ／ＯＦＦ制御は、ディスプレイ用リモコンにより正常に行われる。
しかしながら、ＷＯＬを使用すると、ＡＣＰＩのＳ５状態でのＷＯＬでコントローラ起動（図７タイミングｎ０）後、ディスプレイ表示のためにリモコンによるディスプレイ電源投入（図７タイミングｓ０）実施すると、コントローラはボタン押下された状態となり、シャットダウンを実施してしまう。この状態になると、ディスプレイ電源は投入され、画面表示動作が実施されるが、画像出力するコントローラが電源ＯＦＦ（Ｓ５）の状態となってしまう。この結果、ディスプレイ画面に画像を表示することができなくなってしまう。
【００１７】
また、特許文献１および特許文献２記載の従来技術では、ＷＯＬ機能を使用して被制御装置（ディスプレイ、拡張ユニット）を制御する外部コントローラの電源制御を実施する場合、リモコン操作などにより被制御装置の電源制御を行うだけで、その外部コントローラに対する電源制御を実施することは困難である可能性があった。
また、特許文献１および特許文献２が開示する従来技術を用いて、外部コントローラの電源制御を実行しようとすると、被制御装置側から外部コントローラの電源を制御するための特別な制御信号を外部コントローラへ送信する必要があった。
【００１８】
本発明は、上記問題点に鑑みてなされたものであり、ＷＯＬ機能利用環境下であっても、被制御装置側からその被制御装置のステータスを示す複雑な制御信号を制御装置側へ送ることなく、制御装置側の電源制御を容易に実行する電源制御回路および制御装置を提供することを目的とする。
【課題を解決するための手段】
【００１９】
かかる目的を達成するため、本発明は、被制御装置を制御する制御装置の電源制御を行う電源制御回路であって、被制御装置の電源がＯＮ、かつ制御装置の電源がＯＦＦである場合のみ、制御装置の電源をＯＮに切り替えるように制御することを特徴とする。
【００２０】
また、本発明は、被制御装置を制御する制御装置の電源制御を行う電源制御回路であって、被制御装置の電源ＯＮに同期した第１の制御信号を入力する第１の信号入力手段と、制御装置の電源ＯＮに同期した第２の制御信号を入力する第２の信号入力手段と、第１の制御信号と、第２の制御信号の反転信号との入力に応じて、第３の制御信号を力する信号出力手段と、第３の制御信号の入力に応じて、制御装置の電源のＯＮ／ＯＦＦを切り替えるように制御する切替制御手段とを有し、切替制御手段は、第３の制御信号が入力されているときは、制御装置の電源のＯＮ／ＯＦＦの切替を実行しないように制御することを特徴とする。
【００２１】
また、本発明によれば、第１の信号入力手段は、被制御装置の電源がＯＮのときにＨレベル、ＯＦＦのときにＬレベルである第１の制御信号を入力し、第２の信号入力手段は、制御装置の電源がＯＮのときにＨレベル、ＯＦＦのときにＬレベルである第２の制御信号を入力し、信号出力手段は、第１の制御信号と、第２の制御信号の反転信号とを入力とし、第３の制御信号を出力とするＯＲゲートにより構成されることを特徴とする。
【００２２】
また、本発明によれば、第１の制御信号の立ち下がりを検出すると、第４の制御信号を出力する停止信号出力手段を有し、電源切替制御手段は、第４の制御信号が入力されると、第３の制御信号の入力の有無にかかわらず、制御装置の電源をＯＦＦに切り替えるように制御することを特徴とする。
【００２３】
また、本発明によれば、停止信号出力手段は、第１の制御信号の立ち下がり時に、第４の制御信号としてＨレベルを出力し、電源切替制御手段は、第４の制御信号を入力とするインバータと、ＡＮＤゲートとから構成され、ＡＮＤゲートは、第３の制御信号と、第４の制御信号の反転信号とを入力とし、制御装置の電源のＯＮ／ＯＦＦを切り替えるための制御信号を出力とすることを特徴とする。
【００２４】
また、本発明によれば、電源切替制御手段により制御装置の電源がＯＦＦに切り替えられると、第２の制御信号をＬレベルに制御する信号制御手段を有することを特徴とする。
【００２５】
また、本発明によれば、被制御装置としてのディスプレイへ映像信号を出力して、ディスプレイの画面表示を制御する、制御装置の電源制御を行うことを特徴とする。
【００２６】
また、本発明によれば、被制御装置を制御する制御装置であって、自装置に電力を供給する制御装置の電源と、制御装置の電源の電力供給制御を行う電源制御回路とを有し、電源制御回路は、被制御装置の電源ＯＮに同期した第１の制御信号を入力する第１の信号入力手段と、制御装置の電源ＯＮに同期した第２の制御信号を入力する第２の信号入力手段と、第１の制御信号と、第２の制御信号の反転信号との入力に応じて、第３の制御信号を出力する信号出力手段と、第３の制御信号の入力に応じて、制御装置の電源のＯＮ／ＯＦＦを切り替えるように制御する切替制御手段とを有し、切替制御手段は、第３の制御信号が入力されているときは、制御装置の電源のＯＮ／ＯＦＦの切替を実行しないように制御することを特徴とする。
【発明の効果】
【００２７】
本発明によれば、ＷＯＬ機能利用環境下であっても、被制御装置側からその被制御装置のステータスを示す複雑な制御信号を制御装置側へ送ることなく、制御装置側の電源制御を容易に実行することが可能となる。
【発明を実施するための最良の形態】
【００２８】
（実施形態の特徴）
図１は、本発明の一実施形態におけるディスプレイシステムを示す図である。
図１に示されているように、ディスプレイシステムは、情報処理装置と、ディスプレイとを有して構成される。
【００２９】
ディスプレイは、ＰＣなどの情報処理装置から入力される映像信号を画面表示する表示装置であって、ディスプレイ電源と、ディスプレイ電源監視部とを有する。
ディスプレイ電源は、ディスプレイに電力を供給する電源であって、例えばディスプレイリモコンによる電源ＯＮ／ＯＦＦの命令に応じて、ディスプレイ全体への電力供給を行う。
ディスプレイ電源監視部は、ディスプレイ電源の状態（ＯＮ／ＯＦＦ）を監視し、ディスプレイ電源ＯＮを検出すると、制御信号リモコンＰＯＷを電源制御回路へ出力する。
【００３０】
情報処理装置は、ディスプレイへ映像信号を出力するコントローラを内蔵する。
また、コントローラは、コントローラ電源と、電源制御回路と、コントローラ電源監視部と、システムＢＩＯＳとを有する。
コントローラ電源は、コントローラに電力を供給する電源であって、例えばＷＯＬによる電源ＯＮ／ＯＦＦの命令に応じて、コントローラ全体への電力供給を行う。
コントローラ電源監視部は、コントローラ電源の状態（ＯＮ／ＯＦＦ）を監視し、コントローラ電源ＯＮを検出すると、制御信号ＰＯＷをコントローラ電源へ出力する。
システムＢＩＯＳは、例えばＯＳなどが起動する以前のディスプレイ画面表示機能を行う。また、システムＢＩＯＳは、電源制御回路へ制御信号Ｃｏｎｔを出力する。
電源制御回路は、入力される制御信号に基づいて、コントローラ電源のＯＮ／ＯＦＦ制御を行う電子回路である。
【００３１】
本実施形態におけるディスプレイは、リモコンなどにより自身の電源がＯＮされた場合、コントローラなどの外部装置の電源をＯＮにし、自身の電源がＯＦＦされた場合、外部装置の電源をＯＦＦにするといった一般的な電源制御信号のみを情報処理装置側へ出力する。
本実施形態では、ディスプレイが上記のような特別な電源制御信号を出力しない構成であっても、ＷＯＬなどによる外部装置電源ＯＮ後のディスプレイ電源ＯＮといった複雑な電源制御に対しても対応可能としている。
【００３２】
（実施形態の構成）
図２は、本発明の一実施形態における電源制御回路の構成を示す図である。以下、図２を用いて、本実施形態における電源制御回路の構成および動作について説明する。なお、本明細書において、「信号（Ｈ）」はＨｉｇｈ（Ｈ）レベルの電圧値の信号を示し、「信号（Ｌ）」はＬｏｗ（Ｌ）レベルの電圧値の信号を示すものとする。
【００３３】
図２に示されているように、電源制御回路は、リモコン電源電圧入力端子１と、コントローラ信号入力端子２と、インバータ３、４、７と、ＯＲゲート５と、ＡＮＤゲート６と、コンデンサ８と、抵抗９、１２、１３と、ダイオード１０と、チップセット１１と、電源電圧入力端子１４とを有して構成される。
【００３４】
リモコン電源電圧入力端子１は、ディスプレイ電源のＯＦＦ／ＯＮに同期して出力される電源電圧であるリモコンＰＯＷが入力される端子である。
リモコンＰＯＷは、ディスプレイ電源ＯＮによるディスプレイ表示時にＨレベルを示し、ディスプレイ電源ＯＦＦ時にＬレベルを示す。本実施形態において、コントローラに外部から入力される制御信号は本信号のみである。
リモコン電源電圧入力端子１に接続されている信号線は、分岐してインバータ３、４の入力端子に接続される。
【００３５】
電源電圧入力端子１４は、コントローラにより供給される電源電圧であるＰＯＷが入力される端子である。
ＰＯＷは、コントローラ電源ＯＮ時にはＨレベルを、コントローラ電源ＯＦＦ時にはＬレベルを示す。
電源電圧入力端子１４は抵抗の一端に接続され、その抵抗の他端は、接続点ｐにてコントローラ信号入力端子２とＯＲゲート５との間の信号線に接続される。
【００３６】
コントローラ信号入力端子２は、コントローラのシステムＢＩＯＳ（Ｂａｓｉｃ  Ｉｎｐｕｔ  Ｏｕｔｐｕｔ  Ｓｙｓｔｅｍ）にて制御される信号であるＣｏｎｔが入力される端子である。Ｃｏｎｔ入力によりＰＯＷの信号レベル（Ｈレベル／Ｌレベル）が切り替えられる（反転される）。
コントローラ信号入力端子２は、信号線を介してＯＲゲート５の一方の入力端子に接続される。
【００３７】
抵抗１２は、ＡＣＰＩ（Ａｄｖａｎｃｅｄ  Ｃｏｎｆｉｇｒａｔｉｏｎ  ａｎｄ  Ｐｏｗｅｒ  Ｉｎｔｅｒｆａｃｅ）のＳ４及びＳ５の状態のときにＣｏｎｔの信号レベルを安定させるためのプルダウン抵抗である。
抵抗１２の一端は、コントローラ信号入力端子２とＯＲゲート５との間の接続点ｐに接続される。また、抵抗１２の他端は接地されている。
【００３８】
抵抗１３は、ディスプレイ電源ＯＦＦ時にリモコンＰＯＷの信号レベルを安定させるためのプルダウン抵抗である。
抵抗１３の一端は、接続点ｑにてリモコン電源電圧入力端子１とインバータ３、４との間に挿入される。また、抵抗１３の他端は接地される。
【００３９】
インバータ３、４は、入力されたリモコンＰＯＷの電圧値を反転させる。
インバータ３の出力端子は、信号線を介してＯＲゲート５の他方の入力端子に接続される。
また、インバータ４の出力端子は、信号線を介してコンデンサ８の一方の接続端子に接続される。
【００４０】
コンデンサ８及び抵抗９は、測定点ｅ（インバータ４とコンデンサ８との間）における電圧値の立ち上がり時（ＬレベルからＨレベルになったとき）のみパルスを発生させるための回路構成を実現する。
コンデンサ８の一方の接続端子は、信号線を介してインバータ４の出力端子に接続され、他方の接続端子は、信号線を介してインバータ７の入力端子に接続される。
また、抵抗９の一端は、コンデンサ８とインバータ７との間に挿入され、他端は接地される。
【００４１】
ダイオード１０は、測定点ｅにおける電圧値の立ち下がり時の０Ｖ以下の電圧をカットするためのダイオードである。また、ダイオード１０は、インバータ７への入力信号をインバータ７の定格電圧超えないよう制御する。
ダイオード１０のアノードは接地され、カソードはコンデンサ８とインバータ７との間に挿入される。
【００４２】
インバータ７は、入力信号の電圧値を反転させる。
インバータ７の入力端子は、コンデンサ８の他方の接続端子に接続される。また、インバータ７の出力端子は、ＡＮＤゲート６の一方の入力端子に接続される。
【００４３】
ＯＲゲート５の一方の入力端子はコントローラ信号入力端子２に接続され、他方の入力端子はインバータ３の出力端子に接続される。また、ＯＲゲート５の出力端子は、ＡＮＤゲート６の他方の入力端子に接続される。
【００４４】
ＡＮＤゲート６の一方の入力端子はインバータ７の出力端子に接続され、他方の入力端子はＯＲゲート５の出力端子に接続される。
また、ＡＮＤゲート６の出力端子は、チップセット１１に接続される。
【００４５】
チップセット１１は、コントローラの電源制御を実施するＩＣである。なお、チップセット１１内部回路は、当業者にとってよく知られているため、その詳細な構成は省略する。
チップセット１１は、ＡＮＤゲート６から信号（Ｌ）が入力されると、コントローラの電源のＯＮ／ＯＦＦを切り替える。すなわち、チップセット１１は、コントローラ電源ＯＮ制御時にＡＮＤゲート６から信号（Ｌ）が入力されると、コントローラの電源をＯＦＦにするように制御する。また、チップセット１１は、コントローラ電源ＯＦＦ制御時にＡＮＤゲート６から信号（Ｌ）が入力されると、コントローラの電源をＯＮにするように制御する。
また、チップセット１１は、ＡＮＤゲート６からの信号（Ｌ）入力が４秒間以上継続すると、ＰＣ９９規格などに基づいて、コントローラの電源をＯＦＦに制御する。
【００４６】
測定点ａは、接続点ｑとインバータ３、４の入力端子との間の信号線上の任意の位置を示す。
測定点ｂは、インバータ３出力端子とＯＲゲート５入力端子との間の信号線上の任意の位置を示す。
測定点ｃは、接続点ｐとＯＲゲート５入力端子との間の任意の位置を示す。
測定点ｄは、ＯＲゲート５出力端子とＡＮＤゲート６入力端子との間の信号線上の任意の位置を示す。
測定点ｅは、インバータ４出力端子とコンデンサ８との間の信号線上の任意の位置を示す。
測定点ｆは、インバータ７出力端子とＡＮＤゲート６入力端子との間の信号線上の任意の位置を示す。
測定点ｇは、ＡＮＤゲート６出力端子とチップセット１１との間の信号線上の任意の位置を示す。
【００４７】
（実施形態の動作の概要）
本実施形態では、ディスプレイ電源をＯＮにする方法として、（ｉ）ディスプレイリモコンによりディスプレイ電源をＯＮする方法と、（ｉｉ）ＷＯＬによりコントローラを直接起動させ、その後必要に応じてディスプレイリモコンによりディスプレイ電源をＯＮさせる方法との２通りの方法がある。
図３は、本発明の一実施形態において、ディスプレイリモコンによりディスプレイ電源をＯＮする場合の電源制御回路の各測定点におけるタイミングチャートである。
また、図４は、本発明の一実施形態において、ＷＯＬによるコントローラ電源ＯＮ後にディスプレイリモコンによりディスプレイ電源をＯＮする場合の電源制御回路の各測定点におけるタイミングチャートである。
以下、図３および図４のタイムチャートを用いて、本実施形態における電源制御回路によるコントローラ電源のＯＮ／ＯＦＦ制御動作について説明する。
【００４８】
（ｉ）ディスプレイリモコンによりディスプレイ電源をＯＮする場合
（リモコンによるコントローラ電源ＯＮ制御動作）
以下、図３を用いて、ディスプレイリモコンによるディスプレイ電源ＯＮによりコントローラ電源をＯＮする場合の電源制御回路による動作を説明する。
【００４９】
まず、ディスプレイリモコンによりディスプレイ電源をＯＮすると、ディスプレイ電源ＯＮに同期してリモコン電源電圧入力端子１にリモコンＰＯＷが印加される。このリモコンＰＯＷの立ち上がり（信号（Ｈ））がインバータ３、４に与えられる（タイミングｈ、測定点ａ）。
【００５０】
インバータ３に入力された信号（Ｈ）は、信号（Ｌ）に反転されて（タイミングｈ、測定点ｂ）、ＯＲゲート５に入力される。
この時点では、電源電圧入力端子１４にＰＯＷ（Ｈレベル）が印加されていないので、ＯＲゲート５のもう一方の入力端子にも信号（Ｌ）が入力される（タイミングｈ、測定点ｃ）。
これから、ＯＲゲート５は、信号（Ｌ）をＡＮＤゲートへ出力する（タイミングｈ、測定点ｄ）。
【００５１】
インバータ４に入力された信号（Ｈ）は、信号（Ｌ）に反転された後（タイミングｈ、測定点ｅ）、コンデンサ８および抵抗９から構成される回路に、その立ち下がり（信号（Ｈ）→信号（Ｌ））が入力される。ここで、コンデンサ８および抵抗９から構成される回路は、パルスを発生しないため、インバータ７には、信号（Ｌ）が入力される。インバータ７により反転されて出力された信号（Ｈ）（タイミングｈ、測定点ｆ）が、ＡＮＤゲート６に入力される。
【００５２】
ＡＮＤゲート６は、ＯＲゲート５から信号（Ｌ）、インバータ７から信号（Ｈ）がそれぞれ入力されると、チップセット１１にボタンＯＮ信号となる信号（Ｌ）を出力する（タイミングｈ、測定点ｇ）。
このボタンＯＮ信号入力により、チップセット１１はコントローラ電源ＯＮを実行する。
【００５３】
その後、コントローラ電源供給開始により、コントローラ電源であるＰＯＷの立ち上がり（信号（Ｈ））が電源電圧入力端子１４に印加されると、信号（Ｈ）がＯＲゲート５に与えられる（タイミングｉ、測定点ｃ）。
ＯＲゲート５は、電源電圧入力端子１４から信号（Ｈ）、インバータ３から信号（Ｌ）がそれぞれ入力されると、信号（Ｈ）をＡＮＤゲート６へ出力する（タイミングｉ、測定点ｄ）。
【００５４】
ＡＮＤゲート６は、ＯＲゲート５から信号（Ｈ）、インバータ７から信号（Ｈ）がそれぞれ入力されると、チップセット１１にボタンＯＮ信号を解除するための信号（Ｈ）を出力する（タイミングｉ、測定点ｇ）。
このボタンＯＮ信号がチップセット１１に入力されてから解除されるまでの時間、すなわちタイミングｈからタイミングｉまでの時間が４秒以内となるようにコントローラ内の回路は構成されているものとする。
このことにより、ＰＣ９９規格等に定められている４秒長押しによるコントローラの強制電源ＯＦＦを回避することができる。
【００５５】
（リモコンによるコントローラ電源ＯＦＦ制御動作）
以下、図３を用いて、ディスプレイリモコンによるディスプレイ電源ＯＦＦにてコントローラをＯＦＦする場合の動作を説明する。
【００５６】
ディスプレイリモコンによるディスプレイ電源ＯＦＦ実施により、リモコン電源電圧入力端子１にリモコンＰＯＷ１の立ち下がり（信号（Ｌ））が入力される。このリモコンＰＯＷの立ち下がり（信号（Ｌ））がインバータ３、４に与えられる（タイミングｊ、測定点ａ）。
【００５７】
インバータ３に入力された信号（Ｌ）は、信号（Ｈ）に反転されて（タイミングｊ、測定点ｂ）、ＯＲゲート５に入力される。
ＯＲゲート５は、電源電圧入力端子１４から信号（Ｈ）、インバータ３から信号（Ｈ）がそれぞれ入力されると、信号（Ｈ）をＡＮＤゲート６へ出力する（タイミングｊ、測定点ｄ）。
【００５８】
インバータ４に入力された信号（Ｌ）は、信号（Ｈ）に反転された後（タイミングｊ、測定点ｅ）、コンデンサ８および抵抗９から構成される回路に、その立ち上がり（信号（Ｌ）→信号（Ｈ））が入力される。ここで、コンデンサ８および抵抗９から構成される回路はパルスを発生するため、インバータ７には信号（Ｈ）が入力される。インバータ７により反転されて出力された信号（Ｌ）（タイミングｊ、測定点ｆ）が、ＡＮＤゲート６に入力される。
【００５９】
ＡＮＤゲート６は、ＯＲゲート５から信号（Ｈ）、インバータ７から信号（Ｌ）がそれぞれ入力されると、チップセット１１にボタンＯＦＦ信号となる信号（Ｌ）を出力する（タイミングｊ、測定点ｇ）。
これにより、チップセット１１はコントローラ電源ＯＦＦを実行する。
【００６０】
この時、コントローラ搭載ＢＩＯＳにより、コントローラ信号入力端子２にＣｏｎｔを入力して、電源電圧入力端子１４に入力されるＰＯＷを制御してＬｏｗレベルにすることにより（タイミングｋ、測定点ｃ）、次のディスプレイリモコンによるディスプレイ電源ＯＮ信号の為のマスクを解除する。
このことにより、ディスプレイリモコンにより電源ＯＮされる前の状態に復帰するので、コントローラは、オペレーションシステム（以下ＯＳ）のＡＣＰＩ設定により、Ｓ１、Ｓ２、Ｓ３、Ｓ４、Ｓ５の任意のステートに移行することが可能となる。
【００６１】
（リモコンによるコントローラ電源の再度のＯＮ制御動作）
以下、図３を用いて、再度ディスプレイリモコンによるディスプレイ電源ＯＮにてコントローラ電源をＯＮする場合の動作を説明する。
【００６２】
ディスプレイリモコンにより再度、ディスプレイ電源をＯＮすると、ディスプレイ電源ＯＮに同期してリモコン電源電圧入力端子１にリモコンＰＯＷ（Ｈレベル）が印加される。このリモコンＰＯＷの立ち上がり（信号（Ｈ））がインバータ３、４に与えられる（タイミングｌ、測定点ａ）。
【００６３】
インバータ３に入力された信号（Ｈ）は、信号（Ｌ）に反転されて（タイミングｌ、測定点ｂ）、ＯＲゲート５に入力される。
ディスプレイ電源ＯＦＦ時に、ＢＩＯＳ制御のＣｏｎｔによりＰＯＷをＬレベルとすることにより、ＯＲゲート５のもう一方の入力端子にも信号（Ｌ）が入力される（タイミングｌ、測定点ｃ）。
これから、ＯＲゲート５は、信号（Ｌ）をＡＮＤゲートへ出力する（タイミングｌ、測定点ｄ）。
【００６４】
インバータ４に入力された信号（Ｈ）は、信号（Ｌ）に反転された後（タイミングｌ、測定点ｅ）、コンデンサ８および抵抗９から構成される回路に、その立ち下がり（信号（Ｈ）→信号（Ｌ））が入力される。ここで、コンデンサ８および抵抗９から構成される回路は、パルスを発生しないため、インバータ７には、信号（Ｌ）が入力される。インバータ７により反転されて出力された信号（Ｈ）（タイミングｌ、測定点ｆ）が、ＡＮＤゲート６に入力される。
【００６５】
ＡＮＤゲート６は、ＯＲゲート５から信号（Ｌ）、インバータ７から信号（Ｈ）がそれぞれ入力されると、チップセット１１にボタンＯＮ信号となる信号（Ｌ）を出力する（タイミングｌ、測定点ｇ）。
これにより、チップセット１１はコントローラ電源ＯＮを実行する。
【００６６】
その後、コントローラ電源供給開始により、コントローラ電源であるＰＯＷの立ち上がり（信号（Ｈ））が、電源電圧入力端子１４に印加されると、信号（Ｈ）がＯＲゲート５に与えられる（タイミングｍ、測定点ｃ）。
ＯＲゲート５は、電源電圧入力端子１４から信号（Ｈ）、インバータ３から信号（Ｌ）がそれぞれ入力されると、信号（Ｈ）をＡＮＤゲート６へ出力する（タイミングｍ、測定点ｄ）。
【００６７】
ＡＮＤゲート６は、ＯＲゲート５から信号（Ｈ）、インバータ７から信号（Ｈ）がそれぞれ入力されると、チップセット１１にボタンＯＮ信号を解除するための信号（Ｈ）を出力する（タイミングｍ、測定点ｇ）。
このボタンＯＮ信号がチップセット１１に入力されてから解除されるまでの時間、すなわちタイミングｌからタイミングｍまでの時間が４秒以内となるようにコントローラ内の回路は構成されているものとする。
これにより、ＰＣ９９規格等に定められている４秒長押しによるコントローラの強制電源ＯＦＦを回避する。
【００６８】
（ｉｉ）ＷＯＬによるコントローラ電源ＯＮ後にディスプレイリモコンによりディスプレイ電源をＯＮする場合
（リモコンによるコントローラ電源ＯＮ・ＯＦＦ制御動作）
以下、図４を用いて、コントローラ電源ＯＮする方法として、ＷＯＬを使用した場合の動作を説明する。
【００６９】
まず、ディスプレイリモコンによるディスプレイ電源ＯＮにてコントローラ電源をＯＮする。図４のタイミングｈがこれに相当し、上述したディスプレイリモコンによるディスプレイ電源ＯＮの動作と同様である。
次のディスプレイリモコンによるディスプレイ電源ＯＦＦ動作も、上述したディスプレイリモコンによるディスプレイ電源ＯＦＦの動作と同様である。このディスプレイで電源ＯＦＦの動作は、図４のタイミングｊに相当する。
【００７０】
（ＷＯＬによるコントローラ電源ＯＮ制御動作）
次に、ＷＯＬによりコントローラを起動する場合の動作について説明する。
ＷＯＬによりコントローラが直接起動されると、リモコン電源電圧入力端子１にリモコンＰＯＷの立ち上がりが供給されなくても、コントローラは起動する。
このとき、コントローラに電源供給が開始されるため、電源電圧入力端子１４にＰＯＷが印加される。
このようにして、ＷＯＬによる装置起動によりコントローラは通常動作を開始する。このとき、コントローラは通常動作開始しているために、ディスプレイ電源ＯＦＦ（つまり画面表示無し）のままで、ディスプレイに接続された情報処理装置（ＰＣ）へのＬＡＮ経由などによるデータ配信などが可能となる。このとき（図４のタイミングｎ）のＷＯＬによりコントローラが起動する動作メカニズムは一般のＰＣと同様の仕様なので動作詳細記載は省略する。
【００７１】
（ＷＯＬ起動後のリモコンによるディスプレイ電源ＯＮ制御動作）
次に、図４を用いて、ＷＯＬにてコントローラ起動済み状態での、ディスプレイリモコンによるディスプレイ電源ＯＮにて画面表示を実施する場合の動作を説明する。
【００７２】
まず、ディスプレイリモコンによりディスプレイ電源をＯＮすると、ディスプレイ電源ＯＮに同期してリモコン電源電圧入力端子１にリモコンＰＯＷが印加される。このリモコンＰＯＷの立ち上がり（信号（Ｈ））がインバータ３、４に与えられる（タイミングｓ、測定点ａ）。
【００７３】
インバータ３に入力された信号（Ｈ）は、信号（Ｌ）に反転されて（タイミングｓ、測定点ｂ）、ＯＲゲート５に入力される。
また、ＷＯＬによるコントローラ電源ＯＮにより、電源電圧入力端子１４にＰＯＷが印加されているので、ＯＲゲート５のもう一方の入力端子には信号（Ｈ）が入力される（タイミングｓ、測定点ｃ）。
このことから、ＯＲゲート５は、信号（Ｈ）をＡＮＤゲートへ出力する（タイミングｓ、測定点ｄ）。
【００７４】
インバータ４に入力された信号（Ｈ）は、信号（Ｌ）に反転された後（タイミングｓ、測定点ｅ）、コンデンサ８および抵抗９から構成される回路に、その立ち下がり（信号（Ｈ）→信号（Ｌ））が入力される。ここで、コンデンサ８および抵抗９から構成される回路は、パルスを発生しないため、インバータ７には、信号（Ｌ）が入力される。インバータ７により反転されて出力された信号（Ｈ）（タイミングｓ、測定点ｆ）が、ＡＮＤゲート６に入力される。
【００７５】
ＡＮＤゲート６は、ＯＲゲート５から信号（Ｈ）、インバータ７から信号（Ｈ）がそれぞれ入力されるため、チップセット１１に信号（Ｈ）を出力する（タイミングｓ、測定点ｇ）。
従って、チップセット１１に対してボタンＯＮ制御信号（信号（Ｌ））が入力されないため、ディスプレイ電源ＯＮ及び画面表示は開始されるが、チップセット１１は、コントローラシャットダウン処理を実行しない。
【００７６】
（実施形態のまとめ）
なお、本実施形態におけるディスプレイは、例えばプラズマディスプレイであってもよいし、ＣＲＴ（Ｃａｔｈｏｄｅ−ｒａｙ  Ｔｕｂｅ）ディスプレイ、ＬＣＤ（Ｌｉｑｕｉｄ  Ｃｒｙｓｔａｌ  Ｄｉｓｐｌａｙ）、または有機ＥＬ（Ｅｌｅｃｔｒｏｌｕｍｉｎｅｓｃｅｎｃｅ）ディスプレイであるとしてもよいし、あるいは他の表示装置であってもよい。
【００７７】
また、本実施形態では、一例として、制御装置をコントローラ、その制御装置により制御される被制御装置をディスプレイとしたが、本実施形態のような電源制御を行うものであれば、他の装置であってもよい。また、ディスプレイ（被制御装置）の電源は、リモコンによりＯＮ／ＯＦＦ制御されていたが、例えばディスプレイに設けられたキーを直接選択する、またはディスプレイにネットワークを介して接続されている通信機器からＯＮ／ＯＦＦの制御信号を入力するなど他の方法により行われるとしてもよい。
【００７８】
また、本実施形態では、ＢＩＯＳがＯＲゲート５をマスク制御していたが、本発明の他の実施形態として、ＯＳ上で動作するアプリケーションソフトによりＯＲゲート５のマスク制御を実行してもよい。
【００７９】
また、本実施形態における電源制御回路が備えられたコントローラをプラズマディスプレイなどに接続し、プラズマディスプレイを公共の場で用いた場合に、夜間にディスプレイ電源をＯＦＦとして画面表示を行わない状態でも、ＷＯＬなどを用いてコンテンツ配信が可能となる。
【００８０】
また、上記の実施形態は本発明の好適な実施の一例であり、本発明の実施形態は、これに限定されるものではなく、本発明の要旨を逸脱しない範囲において種々変形して実施することが可能となる。
【００８１】
以上説明したように、本実施形態によれば、以下に記載するような効果を奏する。
コントローラ搭載ＢＩＯＳによりディスプレイ電源ＯＦＦ／ＯＮの状態をマスクすることにより、ディスプレイ側から特別な制御信号を出力することなく、リモコンによるディスプレイ電源ＯＦＦ／ＯＮ実施によるコントローラ電源に対する正常な制御が可能となる。
さらに、ＷＯＬによるコントローラが直接起動された後にてリモコンによるディスプレイ電源ＯＮを実施してもコントローラがシャットダウンすることなく動作させることが可能となる。
【００８２】
また、本実施形態によれば、コントローラ搭載ＢＩＯＳ制御のＣｏｎｔ入力により、ＯＲゲート５のマスク／非マスク、すなわち測定点ｃの信号レベルの維持／反転が制御される。
このことから、本実施形態における電源制御回路は、ディスプレイのリモコンによる電源ＯＮ実施時には、リモコンＰＯＷの状態（信号レベル）をチップセット１１に渡し、ＷＯＬにより直接コントローラを起動した後のディスプレイのリモコンによる電源ＯＮ時にはリモコンＰＯＷの状態をチップセット１１に渡さない回路構成を実現する。
従って、本実施形態によれば、外部に対して特別な電源制御信号を出力しないディスプレイを使用しても、リモコン操作などによるディスプレイの電源のＯＮ／ＯＦＦ切り替え制御により、使用者が意識することなく外部コントローラに対する電源制御を実施することが可能となる。
【図面の簡単な説明】
【００８３】
【図１】本発明の一実施形態におけるディスプレイシステムを示す図である。
【図２】本発明の一実施形態における電源制御回路の構成を示す図である。
【図３】本発明の一実施形態において、ディスプレイリモコンによりディスプレイ電源をＯＮする場合の電源制御回路の各測定点におけるタイミングチャートである。
【図４】本発明の一実施形態において、ＷＯＬによるコントローラ電源ＯＮ後にディスプレイリモコンによりディスプレイ電源をＯＮする場合の電源制御回路の各測定点におけるタイミングチャートである。
【図５】従来の電源制御回路の構成を示す図である。
【図６】ディスプレイリモコンによりディスプレイ電源をＯＮする場合の電源制御回路の各測定点におけるタイミングチャートである。
【図７】ＷＯＬによるコントローラ電源ＯＮ後にディスプレイリモコンによりディスプレイ電源をＯＮする場合の従来の電源制御回路の各測定点におけるタイミングチャートである。
【符号の説明】
【００８４】
１    リモコン電源電圧入力端子
２    コントローラ信号入力端子
３、４、７、２２〜２５、２７    インバータ
５    ＯＲゲート
６、２６    ＡＮＤゲート
８    コンデンサ
９、１２、１３    抵抗
１０    ダイオード
１１、２８    チップセット
１４    電源電圧入力端子
２１    制御信号入力端子
２９、３０    パルス発生部
【図１】
2005149000.tif 000003
【図２】
2005149000.tif 000004
【図３】
2005149000.tif 000005
【図４】
2005149000.tif 000006
【図５】
2005149000.tif 000007
【図６】
2005149000.tif 000008
【図７】
2005149000.tif 000009